(57)【要約】【課題】ハンドルの押し操作の信頼性を向上することのできる操作装置を提供する。【解決手段】操作装置１は、筐体４と、ハンドル２１と、スイッチと、被ガイド部２３と、ガイド部４３とを備える。ハンドル２１は、筐体４に保持される。スイッチは、筐体４に収納されて、ハンドル２１の押し操作によりハンドル２１に押されてオン／オフが切り替わるように構成される。被ガイド部２３は、ハンドル２１におけるスイッチとの対向面２１１に設けられて、対向面２１１の垂直方向（前後方向）に沿って突出するように構成される。ガイド部４３は、筐体４に設けられて、被ガイド部２３が挿入された状態で垂直方向に沿って被ガイド部２３を案内するように構成される。【選択図】図１
2018014225.tif 000002
【特許請求の範囲】
【請求項１】
筐体と、
前記筐体に保持されるハンドルと、
前記筐体に収納されて、前記ハンドルの押し操作により前記ハンドルに押されてオン／オフが切り替わるように構成されるスイッチと、
前記ハンドルにおける前記スイッチとの対向面に設けられて、前記対向面の垂直方向に沿って突出する被ガイド部と、
前記筐体に設けられて、前記被ガイド部が挿入された状態で前記垂直方向に沿って前記被ガイド部を案内するガイド部とを備えることを特徴とする操作装置。
【請求項２】
前記筐体は、前記ハンドルと前記スイッチとを隔てる隔壁をさらに有し、
前記隔壁には、前記垂直方向に貫通する貫通孔が設けられ、前記貫通孔の内周面が前記ガイド部の一部として機能しており、
前記隔壁には、前記貫通孔の周囲に設けられて前記ハンドルに向かって突出する台部がさらに設けられており、
前記ガイド部は、筒状に形成され、前記台部から前記スイッチに向かって突出するように構成されていることを特徴とする請求項１記載の操作装置。
【請求項３】
前記隔壁における前記台部の周囲には、前記台部よりも前記スイッチに向かって窪んだ溝が設けられることを特徴とする請求項２記載の操作装置。
【請求項４】
前記ハンドルは、前記対向面における前記被ガイド部の周囲に設けられて前記隔壁に向かって突出するリブをさらに有することを特徴とする請求項２又は３記載の操作装置。
【請求項５】
前記ハンドルは、前記スイッチに直接突き合わされることを特徴とする請求項１乃至４のいずれか１項に記載の操作装置。
【請求項６】
前記ガイド部及び前記被ガイド部は、それぞれ円筒状に形成されることを特徴とする請求項１乃至５のいずれか１項に記載の操作装置。
【請求項７】
前記ハンドルは、前記対向面における前記被ガイド部の内側に設けられる突起をさらに有し、
前記ハンドルは、前記突起により前記スイッチを押すように構成されることを特徴とする請求項６記載の操作装置。
【請求項８】
前記ハンドルと前記筐体とは、独立した部品であることを特徴とする請求項１乃至７のいずれか１項に記載の操作装置。
【請求項９】
前記筐体に保持される他ハンドルと、
前記筐体に収納されて前記他ハンドルの押し操作によりオン／オフが切り替わるように構成される他スイッチとをさらに備え、
前記被ガイド部は、前記ハンドルと前記他ハンドルとのうちの前記ハンドルのみに設けられることを特徴とする請求項１乃至８のいずれか１項に記載の操作装置。
【発明の詳細な説明】
【技術分野】
【０００１】
本発明は、一般に操作装置に関し、より詳細には、人による押し操作を受け付ける操作装置に関する。
【背景技術】
【０００２】
従来、リモートコントローラ（以下、単に「リモコン」という）を備えた照明装置が知られており、たとえば特許文献１に開示されている。特許文献１に記載の照明装置では、リモコンは、押し操作される複数種類の操作釦と、操作釦が押し操作されることで各別にオンする複数個の押釦スイッチとを有している。そして、リモコンは、押釦スイッチがオンされた場合に、押釦スイッチに対応した操作入力を受け付けるように構成されている。
【先行技術文献】
【特許文献】
【０００３】
【特許文献１】特開２０１３−４８０４５号公報
【発明の概要】
【発明が解決しようとする課題】
【０００４】
ところで、上記従来例のようなリモコン（操作装置）の技術分野においては、操作釦（ハンドル）の押し方に依らず操作入力を受け付け易い、いわばハンドルの押し操作の信頼性の向上が望まれている。
【０００５】
本発明は、上記の点に鑑みてなされており、ハンドルの押し操作の信頼性を向上することのできる操作装置を提供することを目的とする。
【課題を解決するための手段】
【０００６】
本発明の一態様に係る操作装置は、筐体と、ハンドルと、スイッチと、被ガイド部と、ガイド部とを備える。前記ハンドルは、前記筐体に保持される。前記スイッチは、前記筐体に収納されて、前記ハンドルの押し操作により前記ハンドルに押されてオン／オフが切り替わるように構成される。前記被ガイド部は、前記ハンドルにおける前記スイッチとの対向面に設けられて、前記対向面の垂直方向に沿って突出するように構成される。前記ガイド部は、前記筐体に設けられて、前記被ガイド部が挿入された状態で前記垂直方向に沿って前記被ガイド部を案内するように構成される。
【発明の効果】
【０００７】
本発明は、ハンドルの押し操作の信頼性を向上することができる。
【図面の簡単な説明】
【０００８】
【図１】図１Ａは、同上の操作装置において、入力部の一部を前方から見た分解斜視図である。図１Ｂは、同上の操作装置において、入力部の一部を後方から見た分解斜視図である。
【図２】図２は、同上の操作装置の分解斜視図である。
【図３】図３は、同上の操作装置を用いた負荷制御システムの全体概略図である。
【図４】図４Ａは、本発明の一実施形態に係る操作装置において、スイッチが押される前の状態を示す断面図である。図４Ｂは、本発明の一実施形態に係る操作装置において、スイッチが押されている状態を示す断面図である。
【図５】図５は、比較例の操作装置において、スイッチが押される前の状態を示す断面図である。
【図６】図６Ａは、本発明の一実施形態に係る操作装置における、ガイド部を示す断面図である。図６Ｂは、貫通孔の内周面のみをガイド部とした構成を示す断面図である。
【発明を実施するための形態】
【０００９】
（１）概要
本実施形態では、人による押し操作を受け付ける操作装置１について説明する。操作装置１は、いわゆるリモートコントローラ（以下、単に「リモコン」という）であって、図１Ａ、図１Ｂ、及び図２に示すように、筐体４と、ハンドル２１と、スイッチ２２とを備えている。ハンドル２１は、筐体４に保持されている。スイッチ２２は、筐体４に収納されており、対応するハンドル２１の押し操作によりオン／オフが切り替わるように構成されている。つまり、操作装置１では、人がハンドル２１を押し操作すると、対応するスイッチ２２のオン／オフが切り替わることにより、人による操作入力を受け付けるように構成されている。
【００１０】
また、操作装置１は、被ガイド部２３と、ガイド部４３とをさらに備えている。被ガイド部２３は、ハンドル２１におけるスイッチ２２との対向面２１１に設けられており、対向面２１１の垂直方向に沿って突出している。ガイド部４３は、筐体４に設けられて、被ガイド部２３が挿入された状態で垂直方向に沿って被ガイド部２３を案内するように構成されている。
【００１１】
したがって、人がハンドル２１を押し操作すると、被ガイド部２３及びガイド部４３によりハンドル２１が垂直方向に沿って移動し易くなるため、ハンドル２１の押し操作により、スイッチ２２がハンドル２１に押され易くなる。その結果、操作装置１では、ハンドル２１の押し操作の信頼性が向上する。
【００１２】
なお、ここでいう垂直方向は、対向面２１１に対して完全に垂直な方向だけでなく、略垂直な方向も含んでいる。
【００１３】
（２）負荷制御システム
操作装置１は、たとえば図３に示すように、複数（図示では、３台）のスイッチ装置７と、複数のスイッチ装置７と１対１に対応する複数（図示では、３つ）の負荷８とを備えた負荷制御システム１００に用いられる。
【００１４】
スイッチ装置７は、たとえば壁などの造営面に設置される。スイッチ装置７は、一対の送電線Ｌ１に電気的に接続されており、また、対応する負荷８に電気的に接続されている。一対の送電線Ｌ１は、たとえば商用電源などの電源から供給される電力を送電するための線である。そして、スイッチ装置７は、一対の送電線Ｌ１を介して、電源から対応する負荷８への給電を制御するように構成されている。
【００１５】
負荷８は、たとえば照明器具や換気扇、エアーコンディショナなどの電気機器であって、たとえば壁や天井などの造営面に設置される。負荷８は、対応するスイッチ装置７に制御されることで、負荷８が動作する動作状態と、負荷８の動作が停止する停止状態とのいずれかに択一的に切り替わる。たとえば負荷８が照明器具であれば、動作状態とは照明器具が点灯している状態をいい、停止状態とは照明器具が消灯している状態をいう。
【００１６】
操作装置１は、人の操作による操作入力を受け付けると、操作入力に応じたデータを含む送信信号を、操作入力に応じた送信先に向けて送信するように構成されている。送信先は、複数のスイッチ装置７のうちの１台であってもよいし、複数台であってもよい。
【００１７】
送信先のスイッチ装置７は、送信信号を受信すると、送信信号に含まれるデータに応じて、電源から対応する負荷８への給電を制御する。したがって、負荷８は、操作装置１で受け付けられた操作入力に応じて、動作状態と停止状態とのいずれかに択一的に切り替わる。また、負荷８が照明器具である場合は、スイッチ装置７は、電源から負荷８へ供給される電力についてたとえばＰＷＭ（Pulse Width Modulation）制御することにより、負荷８を調光することも可能である。
【００１８】
（３）構成
以下、本実施形態の操作装置１の構成について図１〜図４を用いて詳細に説明する。ただし、図１〜図４においては、操作装置１の主要部を図示し、細部の図示は適宜省略している。また、以下の説明では、図１Ａ及び図１Ｂにおいて矢印で示すように、ハンドル２１の短手方向を上下方向、ハンドル２１の長手方向を左右方向、ハンドル２１の厚さ方向を前後方向として説明する。なお、図１Ａ、図１Ｂ等における上下、左右、前後を付した矢印は、方向を示すための矢印であって実体は伴わない。
【００１９】
本実施形態の操作装置１は、図１Ａ、図１Ｂ、及び図２に示すように、複数（ここでは、２つ）のハンドル２１と、複数（ここでは、２つ）のスイッチ２２と、複数（ここでは、２つ）の被ガイド部２３と、複数（ここでは、２つ）のガイド部４３とを備えている。また、操作装置１は、筐体４と、基板５と、化粧プレート６とをさらに備えている。
【００２０】
ここで、複数のハンドル２１は、それぞれ複数のスイッチ２２、複数の被ガイド部２３、及び複数のガイド部４３と１対１に対応している。そして、１つのハンドル２１と、対応する１つのスイッチ２２と、対応する１つの被ガイド部２３と、対応する１つのガイド部４３とで、１つの入力部２を構成している。つまり、本実施形態の操作装置１は、２つの入力部２を備えている。
【００２１】
また、本実施形態の操作装置１は、図２に示すように、複数（ここでは、４つ）の他ハンドル３１と、複数（ここでは、４つ）の他スイッチ３２とを備えている。複数の他ハンドル３１は、それぞれ複数の他スイッチ３２と１対１に対応している。そして、１つの他ハンドル３１と、対応する１つの他スイッチ３２とで、１つの他入力部３を構成している。つまり、本実施形態の操作装置１は、４つの他入力部３を備えている。
【００２２】
本実施形態では、図３に示すように、操作装置１における上下両側に２つの入力部２が配置され、２つの入力部２に挟まれる形で４つの他入力部３が配置されている。もちろん、操作装置１における複数の入力部２及び複数の他入力部３の配置を限定する趣旨ではなく、複数の入力部２及び複数の他入力部３は自由に配置されてよい。
【００２３】
ハンドル２１及び他ハンドル３１は、いずれもＡＢＳ樹脂などの電気絶縁性を有する樹脂により形成されている。ハンドル２１は、図１Ａ、図１Ｂに示すように、平面視で矩形状に形成されており、その左右両端縁に各々１つずつ、上下両端縁に各々２つずつ、計６つの爪２１２を有している。これらの爪２１２は、ハンドル２１を筐体４に保持させるために用いられる。
【００２４】
ハンドル２１の後面（つまり、スイッチ２２との対向面２１１）における中央部には、図１Ｂ、図４Ａに示すように、円筒状の被ガイド部２３が後ろ向きに突出して設けられている。言い換えれば、被ガイド部２３は、ハンドル２１におけるスイッチ２２との対向面２１１に設けられて、対向面２１１の垂直方向（前後方向）に沿って突出している。被ガイド部２３は、カバー４２の貫通孔４５２（後述する）に挿入可能な径寸法で形成されている。
【００２５】
また、ハンドル２１の後面における被ガイド部２３の内側には、平面視で十字形状の突起２４が後ろ向きに突出して設けられている。言い換えれば、ハンドル２１は、対向面２１１における被ガイド部２３の内側に設けられる突起２４をさらに有している。そして、ハンドル２１は、図４Ｂに示すように、人がハンドル２１を押し操作すると、突起２４により対応するスイッチ２２を押すように構成されている。
【００２６】
また、ハンドル２１の後面には、被ガイド部２３を囲むようにして、平面視で十字形状の複数（ここでは、４つ）のリブ２５が後ろ向きに突出して設けられている。言い換えれば、ハンドル２１は、対向面２１１における被ガイド部２３の周囲に設けられて隔壁４５（後述する）に向かって突出するリブ２５をさらに有している。本実施形態では、リブ２５は、その高さ寸法（前後方向の寸法）が突起２４の高さ寸法よりも短くなっている。
【００２７】
また、ハンドル２１の後面における上端縁には、位置決め片２１３が後ろ向きに突出して設けられている。位置決め片２１３は、カバー４２の位置決め孔４４１（後述する）に挿入されることにより、カバー４２に対してハンドル２１を位置決めするために用いられる。
【００２８】
他ハンドル３１は、図２に示すように、平面視で正方形状に形成されており、その左右両端縁に各々１つずつ、上下両端縁に各々１つずつ、計４つの爪３１１を有している。これらの爪３１１は、他ハンドル３１を筐体４の保持させるために用いられる。他ハンドル３１の後面（つまり、他スイッチ３２との対向面）には、後ろ向きに突出する突起が設けられている。そして、他ハンドル３１は、人が他ハンドル３１を押し操作すると、突起により対応する他スイッチ３２を押すように構成されている。
【００２９】
ハンドル２１及び他ハンドル３１の前面は、それぞれ人により押し操作される操作領域となっている。本実施形態では、ハンドル２１の操作領域の面積は、人の指（たとえば、親指）がハンドル２１に触れたときの接触面積よりも広くなっている。また、他ハンドル３１の操作領域の面積は、人の指（たとえば、親指）が他ハンドル３１に触れたときの接触面積と略同一となっている。このため、本実施形態では、ハンドル２１は、他ハンドル３１と比較して押し操作し易く、かつ、人の目につき易くなっている。
【００３０】
スイッチ２２及び他スイッチ３２は、図２に示すように、いずれも基板５の前面に実装されている。スイッチ２２は、対応するハンドル２１の押し操作により、ハンドル２１に押されてオン／オフが切り替わる押釦スイッチである。他スイッチ３２も、対応する他ハンドル３１の押し操作により、他ハンドル３１に押されてオン／オフが切り替わる押釦スイッチである。本実施形態では、スイッチ２２及び他スイッチ３２は、それぞれ対応するハンドル２１及び他ハンドル３１が押し操作されている間だけオンになり、押し操作が終了するとオフになるモーメンタリ型の押釦スイッチである。もちろん、スイッチ２２及び他スイッチ３２は、それぞれハンドル２１及び他ハンドル３１の押し操作によりオン／オフが切り替わる構成であれば、他の種類のスイッチであってもよい。
【００３１】
筐体４は、図２に示すように、ボディ４１と、カバー４２とを有している。ボディ４１及びカバー４２は、いずれもＡＢＳ樹脂などの電気絶縁性を有する樹脂により形成されている。ボディ４１は、平面視で矩形状であって、基板５が収納可能な寸法で形成されている。カバー４２は、平面視で矩形状であって、ボディ４１に対して前方から取り付けられる。そして、カバー４２がボディ４１に取り付けられた状態で、筐体４が構成される。
【００３２】
カバー４２には、複数（ここでは、２つ）の第１保持部４２１と、複数（ここでは、４つ）の第２保持部４２２とが設けられている。複数の第１保持部４２１には、それぞれ複数のハンドル２１が保持される。つまり、ハンドル２１は、筐体４（カバー４２）に保持される。また、複数の第２保持部４２２には、それぞれ複数の他ハンドル３１が保持される。つまり、他ハンドル３１は、筐体４（カバー４２）に保持される。
【００３３】
複数の第１保持部４２１は、図１Ａ、図２に示すように、平面視で矩形状の隔壁４５を底部とする凹所４４を有している。凹所４４は、ハンドル２１が嵌まり込む寸法で形成されている。隔壁４５の中央部には、カバー４２の厚さ方向（前後方向）に貫通する平面視で円形状の貫通孔４５２が設けられている。貫通孔４５２は、ハンドル２１の被ガイド部２３が挿入可能な径寸法で形成されている。
【００３４】
隔壁４５における貫通孔４５２の周囲は、図１Ａ、図１Ｂに示すように、隔壁４５の前面（後述する溝４５３の底面）よりも前向きに突出する台部４５１となっている。言い換えれば、隔壁４５には、貫通孔４５２の周囲に設けられてハンドル２１に向かって突出する台部４５１がさらに設けられている。また、台部４５１における貫通孔４５２の周縁には、後ろ向きに突出する円筒状のガイド部４３が設けられている。言い換えれば、ガイド部４３は、筒状に形成され、台部４５１からスイッチ２２に向かって突出するように構成されている。ガイド部４３は、貫通孔４５２と同様に、被ガイド部２３が挿入可能な径寸法で形成されている。
【００３５】
そして、ハンドル２１が筐体４（カバー４２）に保持されているとき、貫通孔４５２及びガイド部４３には、被ガイド部２３が挿入される。したがって、ガイド部４３は、被ガイド部２３が挿入された状態で対向面２１１の垂直方向（前後方向）に沿って被ガイド部２３を案内する。また、貫通孔４５２の内周面は、ガイド部４３の一部として機能する。
【００３６】
また、台部４５１の周囲は、台部４５１の前面よりも後ろ向きに窪んだ溝４５３となっている。言い換えれば、隔壁４５における台部４５１の周囲には、台部４５１よりもスイッチ２２に向かって窪んだ溝４５３が設けられている。
【００３７】
凹所４４の上端縁の中央部には、カバー４２を厚さ方向（前後方向）に貫通する平面視で矩形状の位置決め孔４４１が設けられている。位置決め孔４４１は、ハンドル２１の位置決め片２１３が挿入可能な寸法で形成されている。また、凹所４４には、その左右両端縁に各々１つずつ、上下両端縁に各々２つずつ、計６つの通孔４６が設けられている。これらの通孔４６は、平面視で矩形状であって、カバー４２を厚さ方向（前後方向）に貫通している。また、これらの通孔４６の内周面には、それぞれハンドル２１の爪２１２が引っ掛かる引掛け部４６１が設けられている。したがって、ハンドル２１の複数の爪２１２をそれぞれ複数の通孔４６に挿入し、複数の爪２１２をそれぞれ複数の引掛け部４６１に引っ掛けることで、ハンドル２１が筐体４（カバー４２）に保持される。
【００３８】
複数の第２保持部４２２は、図１Ａ、図１Ｂ、及び図２に示すように、それぞれカバー４２を厚さ方向（前後方向）に貫通する平面視で正方形状の孔４７を有している。孔４７は、他ハンドル３１が嵌まり込む寸法で形成されている。複数の孔４７の各々の内周面には、複数（ここでは、４つ）の突片４８が設けられている。複数の突片４８は、それぞれ孔４７の四隅に設けられており、孔４７の中心に向かって突出して設けられている。複数の突片４８は、人が他ハンドル３１を押し操作するときに、他ハンドル３１が過度に後方へと移動するのを防止するストッパとして機能する。
【００３９】
また、隣り合う突片４８の間の部位は、他ハンドル３１の爪３１１が引っ掛かる引掛け部４９となっている。本実施形態では、突片４８が４つであるので、引掛け部４９も４つである。したがって、他ハンドル３１は、複数の爪３１１がそれぞれ複数の引掛け部４９に引っ掛かることで、筐体４（カバー４２）に保持される。
【００４０】
基板５は、図２に示すように、平面視で矩形状に形成されている。基板５の前面には、複数のスイッチ２２，３２が実装されている。ここで、複数の入力部２の各々において、スイッチ２２は、貫通孔４５２を通して、ハンドル２１の突起２４により押されるように設けられている（図４Ａ、図４Ｂ参照）。言い換えれば、ハンドル２１は、スイッチ２２に直接突き合わされており、かつ、突起２４によりスイッチ２２を押すように構成されている。また、複数の他入力部３の各々において、他スイッチ３２は、孔４７を通して、他ハンドル３１の突起により押されるように設けられている。
【００４１】
基板５の前面における下端部には、電池を保持するホルダ５１と、ホルダ５１に保持された電池と電気的に接続される電極５２とが設けられている。ホルダ５１に電池が保持された状態で、電池が操作装置１の電源として機能する。電池は、たとえばリチウムイオン電池である。
【００４２】
また、基板５には、制御回路や無線回路などが実装されている。制御回路は、たとえばＣＰＵ（Central Processing Unit）及びメモリを有するマイクロコンピュータを主構成としている。制御回路は、操作入力に応じたデータを含む送信信号を生成するように構成されている。データには、送信先のアドレスや、送信先のスイッチ装置７に与える制御指令などが含まれる。無線回路は、たとえば無線モジュールと、アンテナとで構成されている。無線回路は、赤外線や電波などの電磁波を媒体とする無線信号を送信するように構成されている。そして、制御回路は、生成した送信信号を無線回路から送信先のスイッチ装置７に向けて送信させるように構成されている。
【００４３】
化粧プレート６は、図２に示すように、たとえばアクリル樹脂などの樹脂により、平面視で矩形状に形成されている。化粧プレート６は、たとえば両面テープなどの適宜の手段により、カバー４２の前面に貼り付けられる。化粧プレート６には、複数（ここでは、２つ）の第１開口部６１と、複数（ここでは、４つ）の第２開口部６２とが設けられている。複数の第１開口部６１は、それぞれ複数のハンドル２１と１対１に対応するように設けられている。また、複数の第２開口部６２は、それぞれ複数の他ハンドル３１と１対１に対応するように設けられている。したがって、化粧プレート６をカバー４２に貼り付けた状態で、複数のハンドル２１の前面は、それぞれ複数の第１開口部６１を通して外部に露出し、複数の他ハンドル３１の前面は、それぞれ複数の第２開口部６２を通して外部に露出する。
【００４４】
（４）動作
以下、本実施形態の操作装置１の動作について説明する。まず、人が入力部２を操作する場合について図４Ａ、図４Ｂを用いて説明する。人がハンドル２１の前面を押す前においては、図４Ａに示すように、ハンドル２１の前面が化粧プレート６の前面と略面一となっている。また、この状態では、ハンドル２１の突起２４が対応するスイッチ２２に接触しているが、スイッチ２２は突起２４により押し込まれていない。したがって、この状態では、操作装置１は、操作入力を未だ受け付けていない。
【００４５】
人がハンドル２１の前面を押すことで、ハンドル２１を押し操作すると、ハンドル２１が後方へと移動する。このとき、ハンドル２１の被ガイド部２３が筐体４（カバー４２）のガイド部４３に挿入されているため、被ガイド部２３は、ガイド部４３に案内されることで上下左右方向への移動を規制されながら、後方へと移動する。その後、図４Ｂに示すように、スイッチ２２が、ハンドル２１の突起２４により押し込まれることでオンに切り替わる。つまり、操作装置１は、入力部２に対応する操作入力を受け付けている状態となる。
【００４６】
ここで、図４Ｂに示す状態から人がハンドル２１をさらに押し込もうとすると、ハンドル２１のリブ２５が隔壁４５（台部４５１）に接触することで、ハンドル２１の後方への移動が規制される。したがって、スイッチ２２は、突起２４により過度に押されることがなく、過大な応力が加わり難い。
【００４７】
人がハンドル２１の押し操作を止めると、スイッチ２２は、オンからオフへと復帰しようとする。このとき、スイッチ２２が復帰しようとする力により突起２４が前方へ押され、これに伴ってハンドル２１も元の状態に復帰する。つまり、操作装置１は、操作入力を受け付けていない状態に復帰する。
【００４８】
次に、人が他入力部３を操作する場合について説明する。人が他ハンドル３１の前面を押す前においては、他ハンドル３１の前面が化粧プレート６の前面と略面一となっている。また、この状態では、他ハンドル３１の突起により対応する他スイッチ３２が押し込まれていない。したがって、この状態では、操作装置１は、操作入力を未だ受け付けていない。
【００４９】
人が他ハンドル３１の前面を押すことで、他ハンドル３１を押し操作すると、他ハンドル３１が後方へと移動する。その後、他スイッチ３２が、他ハンドル３１の突起により押し込まれることでオンに切り替わる。つまり、操作装置１は、他入力部３に対応する操作入力を受け付けている状態となる。
【００５０】
ここで、この状態から人が他ハンドル３１をさらに押し込もうとすると、他ハンドル３１が複数の突片４８に接触することで、他ハンドル３１の後方への移動が規制される。したがって、他スイッチ３２は、他ハンドル３１の突起により過度に押されることがなく、過大な応力が加わり難い。
【００５１】
人が他ハンドル３１の押し操作を止めると、他スイッチ３２は、オンからオフへと復帰しようとする。このとき、他スイッチ３２が復帰しようとする力により、他ハンドル３１の突起が前方へ押され、これに伴って他ハンドル３１も元の状態に復帰する。つまり、操作装置１は、操作入力を受け付けていない状態に復帰する。
【００５２】
（５）比較例
ここで、本実施形態の操作装置１の比較例として、比較例の操作装置２００について図５を用いて説明する。なお、比較例の操作装置２００は、入力部２の代わりに入力部２０１を備える点で本実施形態の操作装置１と異なっているが、他の構成については本実施形態の操作装置１と同じである。したがって、以下の説明では、入力部２０１についてのみ説明する。
【００５３】
比較例の操作装置２００は、人による操作入力を受け付ける入力部２０１として、ハンドル２０２と、スイッチ２０３とを備えている。スイッチ２０３は、スイッチ２２，３２と同様に、モーメンタリ型の押釦スイッチである。ハンドル２０２の後面には、後ろ向きに突出する突起２０４が設けられている。突起２０４とスイッチ２０３との間には、スイッチ２０３に加わる力のばらつきを抑えるために、たとえばシリコーンゴムからなる弾性部材２０５が設けられている。弾性部材２０５は、ハンドル２０２の後面から後ろ向きに突出する複数（図示では、２つ）の保持片２０６により保持されている。
【００５４】
以下、人が入力部２０１を操作する場合について説明する。人がハンドル２０２の前面を押すことで、ハンドル２０２を押し操作すると、ハンドル２０２が後方へと移動する。その後、スイッチ２０３が、弾性部材２０５を介して突起２０４により押し込まれることでオンに切り替わる。すると、比較例の操作装置２００は、入力部２０１に対応する操作入力を受け付けている状態となる。
【００５５】
人がハンドル２０２の押し操作を止めると、スイッチ２０３は、オンからオフへと復帰しようとする。このとき、スイッチ２０３が復帰しようとする力により、ハンドル２０２の突起が弾性部材２０５を介して前方へ押され、これに伴ってハンドル２０２も元の状態に復帰する。つまり、比較例の操作装置２００は、操作入力を受け付けていない状態に復帰する。
【００５６】
（６）効果
比較例の操作装置２００は、ハンドル２０２の上下左右方向（つまり、対向面２１１に沿った方向）への傾きを規制する手段を備えていない。このため、比較例の操作装置２００では、たとえば人がハンドル２０２の左右両側のいずれかの端部を押したときに、ハンドル２０２が傾いた状態で後方へ移動するので、突起２０４も傾いた状態で後方へと移動する。このため、比較例の操作装置２００では、ハンドル２０２の押し方によっては、突起２０４が弾性部材２０５を介してスイッチ２０３を十分に押し込み難く、入力部２０１に対応する操作入力が受け付けられ難い。
【００５７】
これに対して本実施形態の操作装置１では、人がハンドル２１の左右両側のいずれかの端部を押したとしても、被ガイド部２３がガイド部４３に案内されるため、被ガイド部２３の上下左右方向の移動がガイド部４３により規制される。つまり、本実施形態の操作装置１では、被ガイド部２３及びガイド部４３により、ハンドル２１の上下左右方向への傾きが規制される。このため、本実施形態の操作装置１では、ハンドル２１が殆ど傾くことなく後方へ移動するため、突起２４も殆ど傾くことなく後方へと移動する。
【００５８】
したがって、本実施形態の操作装置１では、人がハンドル２１の前面のどの部位を押しても、突起２４によりスイッチ２２を十分に押し込み易いため、入力部２に対応する操作入力が受け付けられ易い。つまり、本実施形態の操作装置１は、ハンドル２１の押し操作の信頼性を向上することができる。
【００５９】
また、本実施形態の操作装置１では、ガイド部４３は、図６Ａに示すように、隔壁４５における貫通孔４５２の周縁から後ろ向きに突出している。このため、本実施形態の操作装置１では、ガイド部４３は、貫通孔４５２の内周面のみで構成される場合（図６Ｂ参照）と比較して、被ガイド部２３と径方向に重なり合う面積が大きくなっている。このため、本実施形態の操作装置１では、ガイド部４３が貫通孔４５２の内周面のみで構成される場合と比較して、被ガイド部２３ひいてはハンドル２１の上下左右方向への移動を規制し易い。
【００６０】
ここで、台部４５１を設けずに筒状のガイド部４３を隔壁４５から後ろ向きに突出させた場合、ガイド部４３の突出量だけカバー４２の厚さ寸法（前後方向の寸法）が大きくなるため、結果として操作装置１が大型化する可能性がある。そこで、本実施形態の操作装置１では、ハンドル２１とカバー４２との間の空間を利用して、隔壁４５から前向きに突出する台部４５１を設け、台部４５１からガイド部４３を後ろ向きに突出させている。このため、本実施形態の操作装置１では、カバー４２の厚さ寸法が大きくなるのを抑制しつつ、筒状のガイド部４３を設けることが可能である。
【００６１】
また、本実施形態の操作装置１では、台部４５１の周囲に溝４５３を設けている。このため、仮にハンドル２１と隔壁４５との間の空間に外部から塵埃が侵入したとしても、塵埃が溝４５３に堆積するため、ハンドル２１の押し操作に与える影響を小さくすることができる。つまり、塵埃が溝４５３からはみ出して台部４５１の前面に堆積しない限りは、塵埃がハンドル２１の後方への移動を妨げることがない。
【００６２】
さらに、本実施形態の操作装置１では、ハンドル２１とスイッチ２２とが隔壁４５により隔てられているので、塵埃が基板５側に侵入し難い。
【００６３】
（変形例）
ところで、本実施形態の操作装置１では、ハンドル２１及び他ハンドル３１と、筐体４（カバー４２）とは、独立した部品であるが、ハンドル２１及び他ハンドル３１は筐体４（カバー４２）と一体に形成されていてもよい。
【００６４】
また、本実施形態の操作装置１は、入力部２と、他入力部３との両方を備えているが、他の構成であってもよい。たとえば、操作装置１は、１乃至複数の入力部２を備え、他入力部３を備えていなくてもよい。
【００６５】
また、本実施形態の操作装置１では、突起２４及びリブ２５は、いずれも平面視で十字形状に形成されているが、他の形状であってもよい。つまり、突起２４は、スイッチ２２を押し込むことのできる形状であればよい。また、リブ２５は、隔壁４５（台部４５１）に接触してハンドル２１の後方への移動を規制することのできる形状であればよい。
【００６６】
本実施形態の操作装置１では、ハンドル２１は、平面視で矩形状であるが、平面視で正方形状であってもよいし円形状であってもよい。つまり、ハンドル２１は、操作領域たる前面が人の指の接触する面積よりも広い面積を有していれば、どのような形状であってもよい。
【００６７】
本実施形態の操作装置１は、複数の負荷８としての複数の照明器具を一括制御する、いわゆるシーンリモコンに採用されてもよい。その他、操作装置１は、たとえば単一の負荷８（たとえば、照明器具）専用のリモコンであってもよい。この場合、操作装置１は、１つの入力部２を備えた構成であるのが好ましい。
【００６８】
以上述べたように、本発明に係る第１の態様の操作装置１は、筐体４と、ハンドル２１と、スイッチ２２と、被ガイド部２３と、ガイド部４３とを備える。ハンドル２１は、筐体４に保持される。スイッチ２２は、筐体４に収納されてハンドル２１の押し操作によりオン／オフが切り替わるように構成される。被ガイド部２３は、ハンドル２１におけるスイッチ２２との対向面２１１に設けられて、対向面２１１の垂直方向（前後方向）に沿って突出するように構成される。ガイド部４３は、筐体４に設けられて、被ガイド部２３が挿入された状態で垂直方向に沿って被ガイド部２３を案内するように構成される。
【００６９】
この構成によると、人がハンドル２１の前面のどの部位を押したとしても、被ガイド部２３及びガイド部４３により、ハンドル２１が殆ど傾くことなく後方へ移動する。このため、この構成では、ハンドル２１によりスイッチ２２を十分に押し込みやすいことから、操作入力が受け付けられ易く、ハンドル２１の押し操作の信頼性を向上することができる。ここで、被ガイド部２３及びガイド部４３を適用するハンドル２１は、上下方向の長さや、左右方向の長さが長いハンドル（つまり、ハンドルを押したときに人の指が接触する面積よりも広い面積を有するハンドル）であれば、特に有効である。
【００７０】
また、本発明に係る第２の態様の操作装置１では、第１の態様において、筐体４は、ハンドル２１とスイッチ２２とを隔てる隔壁４５をさらに有する。隔壁４５には、垂直方向に貫通する貫通孔４５２が設けられ、貫通孔４５２の内周面がガイド部４３の一部として機能している。隔壁４５には、貫通孔４５２の周囲に設けられてハンドル２１に向かって突出する台部４５１がさらに設けられている。そして、ガイド部４３は、筒状に形成され、台部４５１からスイッチ２２に向かって突出するように構成されている。
【００７１】
この構成によると、カバー４２の厚さ寸法が大きくなるのを抑制しつつ、筒状のガイド部４３を設けることが可能である。また、この構成によると、ガイド部４３が被ガイド部２３と径方向に重なり合う面積が大きくなるので、ガイド部４３が貫通孔４５２の内周面のみで構成される場合と比較して、被ガイド部２３ひいてはハンドル２１の上下左右方向への移動を規制し易い。
【００７２】
また、本発明に係る第３の態様の操作装置１では、第２の態様において、隔壁４５における台部４５１の周囲には、台部４５１よりもスイッチ２２に向かって窪んだ溝４５３が設けられている。
【００７３】
この構成によると、仮にハンドル２１と隔壁４５との間の空間に外部から塵埃が侵入したとしても、塵埃を溝４５３に堆積させることで、ハンドル２１の押し操作に与える影響を小さくすることができる。
【００７４】
また、本発明に係る第４の態様の操作装置１では、第２又は第３の態様において、ハンドル２１は、対向面２１１における被ガイド部２３の周囲に設けられて隔壁４５に向かって突出するリブ２５をさらに有する。
【００７５】
この構成によると、人がハンドル２１を後方に押し込んだときに、リブ２５が隔壁４５に接触してハンドル２１の後方への移動を規制する。したがって、この構成では、人がハンドル２１を過大な力で押し込んだ場合でも、スイッチ２２がハンドル２１により過度に押されることがなく、スイッチ２２に過大な応力が加わり難い。
【００７６】
また、本発明に係る第５の態様の操作装置１では、第１〜第４のいずれかの態様において、ハンドル２１は、スイッチ２２に直接突き合わされる。
【００７７】
この構成によると、ハンドル２１の押し操作により、スイッチ２２がハンドル２１によって直接押されるため、比較例の操作装置２００のように弾性部材２０５を設ける必要がない。したがって、この構成では、部品点数を低減することができ、結果として操作装置１の製造コストも低減することができる。
【００７８】
また、本発明に係る第６の態様の操作装置１では、第１〜第５のいずれかの態様において、ガイド部４３及び被ガイド部２３は、それぞれ円筒状に形成される。
【００７９】
この構成によると、被ガイド部２３が対向面２１１の垂直方向（前後方向）に移動するときに、被ガイド部２３とガイド部４３とが互いに引っ掛かり難くなるため、被ガイド部２３ひいてはハンドル２１が滑らかに移動し易い。
【００８０】
また、本発明に係る第７の態様の操作装置１では、第６の態様において、ハンドル２１は、対向面２１１における被ガイド部２３の内側に設けられる突起２４をさらに有する。ハンドル２１は、突起２４によりスイッチ２２を押すように構成される。
【００８１】
この構成によると、被ガイド部２３自体でスイッチ２２を押す構成とするために被ガイド部２３を柱状に形成する必要がない。したがって、この構成では、被ガイド部２３を柱状に形成する場合と比較して、射出成形などの手法により被ガイド部２３を成形する際にヒケ（sink marks）が発生し難い。
【００８２】
また、本発明に係る第８の態様の操作装置１では、第１〜第７のいずれかの態様において、ハンドル２１と筐体４とは、独立した部品である。
【００８３】
この構成によると、たとえばゴムシートのようにハンドル２１と筐体４とが一体化した部品を用いる場合と比較して、ハンドル２１及び筐体４の各々の細部を設計し易い。
【００８４】
また、本発明に係る第９の態様の操作装置１では、第１〜第８のいずれかの態様において、他ハンドル３１と、他スイッチ３２とをさらに備える。他ハンドル３１は、筐体４に保持される。他スイッチ３２は、筐体４に収納されて他ハンドル３１の押し操作によりオン／オフが切り替わるように構成される。被ガイド部２３は、ハンドル２１と他ハンドル３１とのうちのハンドル２１のみに設けられる。
【００８５】
この構成によると、被ガイド部２３を有するハンドル２１と、被ガイド部２３を有さない他ハンドル３１とが混在する操作装置１を実現することができる。
【００８６】
以上、本発明の実施形態に係る操作装置１について説明した。ただし、以上に説明した構成は、本発明の一例に過ぎず、本発明は、上記の構成に限定されず、上記の構成以外であっても、本発明に係る技術的思想を逸脱しない範囲であれば、設計等に応じて種々の変更が可能である。
【符号の説明】
【００８７】
１  操作装置
２１  ハンドル
２１１  対向面
２２  スイッチ
２３  被ガイド部
２４  突起
２５  リブ
３１  他ハンドル
３２  他スイッチ
４  筐体
４３  ガイド部
４５  隔壁
４５１  台部
４５２  貫通孔
４５３  溝
【図１】
2018014225.tif 000003
【図２】
2018014225.tif 000004
【図３】
2018014225.tif 000005
【図４】
2018014225.tif 000006
【図５】
2018014225.tif 000007
【図６】
2018014225.tif 000008